(57)【要約】【課題】各画素が反射領域Ｒと透過領域Ｔとを有し、画素毎に設けられた凸部により反射領域Ｒでの液晶層４０の層厚Ｒｄを透過領域Ｔでの液晶層４０の層厚Ｔｄよりも小さくするようにした透過反射両用型の液晶表示装置において、ラビングに対し凸部の陰になる部分に対応する液晶層４０の領域に発生するドメインにより透過領域Ｔでの表示品位が低下するのを、該透過領域Ｔの開口率を犠牲にすることなく回避できるようにする。【解決手段】凸部を、ＴＦＴ基板２０ではなく、ＣＦ基板１０に設け、この凸部１５のラビング方向下流側端部を、ＴＦＴ基板２０の反射用画素電極部２１に対しラビング方向上流側にずらして配置する。【選択図】  図１
2004157273.tif 000002
【特許請求の範囲】
【請求項１】
画素毎に反射用画素電極部および透過用画素電極部を有する画素電極基板と、対向電極部を有し、該対向電極部が上記画素電極基板の反射用画素電極部および透過用画素電極部に対向するように配置された対向電極基板と、これら画素電極基板および対向電極基板間に配置された液晶層とを備え、
上記各画素は、上記反射用画素電極部に対応する反射領域と、上記透過用画素電極部に対応する透過領域とを有し、
上記対向電極基板の上記液晶層側の表面に、所定方向のラビング処理がなされた液晶表示装置であって、
上記対向電極基板は、反射領域における液晶層の層厚が上記透過領域における液晶層の層厚よりも小さくなるように設けられた凸部を有し、
上記凸部における上記ラビング方向の下流側端部が、上記反射用画素電極部に対し上記ラビング方向の上流側に相対的にずれて配置されていることを特徴とする液晶表示装置。
【請求項２】
請求項１記載の液晶表示装置において、
反射用画素電極部に対する凸部のラビング方向下流側端部の相対ずれ量が、１μｍ以上であることを特徴とする液晶表示装置。
【請求項３】
請求項１又は２記載の液晶表示装置において、
反射用画素電極部は、ラビング方向に直交する方向に画素の全領域を横断するように形成され、凸部は、上記反射用画素電極部と同じ方向に上記画素の全領域を横断するように形成されていることを特徴とする液晶表示装置。
【請求項４】
請求項１，２又は３記載の液晶表示装置において、
凸部のラビング方向下流側端部に加え、ラビング方向に直交する方向における上記凸部の両側端部が、反射用画素電極部に対し互いに近接する方向に相対的にずれて配置されていることを特徴とする液晶表示装置。
【請求項５】
請求項１，２，３又は４記載の液晶表示装置において、
対向電極基板は、画素毎に設けられたカラーフィルタ層を有し、
上記カラーフィルタ層の反射領域部分における液晶層とは反対の側に、該カラーフィルタ層の反射領域部分を反射用画素電極部に向かって隆起させるように設けられた透明層が配置され、凸部は、上記透明層により形成されていることを特徴とする液晶表示装置。
【請求項６】
請求項５記載の液晶表示装置において、
反射領域におけるカラーフィルタ層の一部分は、該反射領域におけるカラーフィルタ層の他の部分よりも光透過率の高い透過部とされていることを特徴とする液晶表示装置。
【発明の詳細な説明】
【０００１】
【発明の属する技術分野】
本発明は、液晶表示装置に用いられる透過・反射両用型の液晶パネルに関し、特に、ラビングに対するマルチギャップ用凸部の陰に起因する透過領域での表示品位の低下を回避する対策に関する。
【０００２】
【従来の技術】
近年、液晶表示装置は、薄型で低消費電力であるという特長を活かして、ワードプロセサやパーソナルコンピュータなどのＯＡ機器、電子手帳などの携帯情報機器に、あるいはカメラ一体型ＶＴＲのモニタなどとして広く用いられている。
【０００３】
この液晶表示装置は、反射型と、透過型とに大別される。つまり、液晶表示装置は、ＣＲＴ（ブラウン管）やＥＬ（エレクトロルミネッセンス）などのような自発光型の表示装置ではないことから、透過型では、液晶表示パネルの背後に配置された照明装置（いわゆる、バックライト）の光を用いて表示を行うようになっており、一方、反射型では、周囲光を用いて表示を行うようになっている。
【０００４】
両者の利点および欠点を具体的に説明すると、透過型の場合には、バックライトを用いることから、周囲の明るさに影響されることが少なく、明るい高コントラスト比の表示を行うことができるという利点があるものの、そのバックライトの分だけ消費電力が大きい（全消費電力の約５０％以上）という欠点がある。さらに、非常に明るい使用環境下（例えば、晴天の屋外）では、視認性が低下してしまうか、あるいは視認性を維持するためにバックライトの輝度を上げると、消費電力がさらに増大するという欠点もある。一方、反射型の場合には、バックライトが不要である分だけ消費電力が極めて小さいという利点があるものの、表示の明るさやコントラスト比が周囲の明るさなどの使用環境によって大きく左右されるという欠点がある。特に、暗い使用環境では、視認性が極端に低下するという欠点がある。
【０００５】
そこで、両者の欠点を排除しつつ利点を併せ持ったものとして、反射型および透過型の両方のモードで表示する機能を持たせるようにした液晶表示装置が提案されている。
【０００６】
この透過反射両用型の液晶表示装置は、図６の断面図に模式的に示すように、各画素に、同図の上方から入射された周囲光を反射する反射用画素電極部１０１と、同図の下方から入射されたバックライトの光を透過する透過用画素電極部１０２とを有しており、両方の表示モードの併用による表示を行うことができたり、又は使用環境（周囲の明るさ）に応じて透過モードによる表示と反射モードによる表示との切換えを行うことができるようになっている。したがって、透過反射両用型液晶表示装置は、反射型液晶表示装置の有する低消費電力という利点と、透過型液晶表示装置の有する周囲の明るさに影響されることが少なくて明るい高コントラスト比の表示を行うことができるという利点とを兼ね備えており、さらに、非常に明るい使用環境において視認性が低下するという透過型液晶表示装置の欠点が抑制されている。
【０００７】
ところで、上述した透過反射両用型の液晶表示装置においては、対向電極基板１０３と画素電極基板１０４との間の液晶層１０５の層厚について、反射領域Ｒでの層厚Ｒｄを、透過領域Ｔでの層厚Ｔｄの約１／２倍（Ｒｄ≒Ｔｄ×１／２）にする必要があり、このことから、従来の場合には、特許文献１，特許文献２などに記載されているように、画素電極基板１０４の反射領域部分に、凸部１０６を設け、この凸部１０６上に反射用画素電極部１０１を配置するようになされている。
【０００８】
【特許文献１】
特開平１１−１０１９９２号公報（第５頁，図１０）
【特許文献２】
特開２０００−４２３３２号公報（第７頁，図２）
【０００９】
【発明が解決しようとする課題】
しかしながら、上記従来の場合には、画素電極基板１０４にラビング処理を施すときに、凸部１０６のラビング方向下流側（図６の右側）の透過領域Ｔに、ラビングに対し凸部１０６の陰になる部分Ｓ、即ち、液晶分子１０５ａに対する配向規制力の弱い部分が生じ、この部分Ｓに対応する液晶層１０５の領域が透過表示モード時にドメインとして視認されることになり、このために、透過表示モードでの表示品位が低下するという問題がある。
【００１０】
これに対しては、上記のようなドメインは、透過領域Ｔよりも反射領域Ｒに発生する方が確認されにくいことから、凸部１０６の陰になる部分Ｓを透過領域Ｔから反射領域Ｒに移すことが考えられる。つまり、凸部１０６をラビング方向上流側（図６の左側）にずらして配置すればよいことになる。
【００１１】
ところが、反射領域Ｒの範囲は、反射用画素電極部１０１により規定されており、このことから、凸部１０６をラビング方向上流側にずらすと、反射用画素電極部１０１も、同じくラビング方向上流側にずれることになる。つまり、反射領域Ｒ自体が凸部１０６と共にラビング方向上流側にずれることになる。したがって、凸部１０６を反射用画素電極部１０１に対してずらすことができない限り、凸部１０６の陰になる部分Ｓを透過領域Ｔから反射領域Ｒに移すことは、原理的に不可能である。
【００１２】
尚、上記のようなドメインについての対策としては、遮光膜を用いてそのドメイン領域を遮光するという手段が一般的であるが、その場合には、透過領域Ｔの開口率を犠牲にすることになる。
【００１３】
本発明は斯かる諸点に鑑みてなされたものであり、その主な目的は、各画素が反射領域と透過領域とを有し、反射領域での液晶層の層厚を透過領域での液晶層の層厚よりも小さくするようにした透過・反射両用型の液晶表示装置において、ラビングに対し、液晶層の層厚を異ならせるために形成した凸部の陰になる部分に起因して発生するドメインにより透過領域における表示品位が低下するのを、透過領域の開口率を犠牲にせずに回避できるようにすることにある。
【００１４】
【課題を解決するための手段】
上記の目的を達成すべく、本発明では、反射領域が、画素電極基板の反射用画素電極部により規定されるということに着目し、画素電極基板側ではなく、対向電極基板側に凸部を設けることとし、これにより、凸部を反射用画素電極部に対しラビング方向上流側にずらすことができるようにし、このことで、ラビングに対して凸部の陰になる部分を、透過領域から反射領域に移すようにした。
【００１５】
具体的には、請求項１の発明では、画素毎に反射用画素電極部および透過用画素電極部を有する画素電極基板と、対向電極部を有していて、該対向電極部が上記画素電極基板の反射用画素電極部および透過用画素電極部に対向するように配置された対向電極基板と、これら画素電極基板および対向電極基板間に配置された液晶層とを備えており、各画素は、反射用画素電極部に対応する反射領域と、透過用画素電極部に対応する透過領域とを有しており、対向電極基板の液晶層側の表面には、所定方向のラビング処理がなされた液晶表示装置を前提としている。
【００１６】
そして、上記の対向電極基板は、反射領域における液晶層の層厚が透過領域における液晶層の層厚よりも小さくなるように設けられた凸部を有しているものとする。その上で、凸部におけるラビング方向の下流側端部が、反射用画素電極部に対しラビング方向の上流側に相対的にずれて配置されているものとする。尚、「反射用画素電極部に対する凸部のずれ」とは、相対的なものであるので、凸部に対し、反射用画素電極部の所要部位をずらすようにしてもよいし、両者を互いにずらすようにしてもよい。
【００１７】
上記の構成において、反射領域における液晶層の層厚を、透過領域における液晶層の層厚よりも小さくするための凸部が、従来の場合のように画素電極基板側に配置されているのではなく、対向電極基板側に配置されているので、画素電極基板の反射用画素電極部により規定される反射領域に対し、凸部をずらすことができる。そして、反射用画素電極部に対し、凸部のラビング方向下流側端部がラビング方向上流側にずれて配置されていることにより、ラビングに対する凸部の陰部分である該凸部のラビング方向下流側における凸部近傍部分の少なくとも一部は、透過領域から反射領域に移ることになる。よって、そのようなラビングに対する凸部の陰部分により該陰部分に対応する液晶層の領域に発生するドメインの少なくとも一部も、透過領域から反射領域に移ることになり、その分だけ、そのようなドメインによる透過領域の表示品位の低下は回避されるようになる。
【００１８】
請求項２の発明では、請求項１の発明において、凸部のラビング方向下流側端部のずれ量は、１μｍ以上とされているものとする。
【００１９】
上記の構成において、反射領域および透過領域における各液晶層の層厚が一般的な値をとる場合に、ラビングに対する凸部の陰部分に起因して発生するドメイン領域のラビング方向における凸部ラビング方向下流側端部からの寸法は、凸部の高さに大きく支配されるものであり、また液晶材料，配向膜，ラビング条件などの諸要因によっても変化すると考えられるが、実験によると、１μｍ以内に収まることはなかった。したがって、反射用画素電極部に対する凸部のラビング方向下流側端部のずれ量が、１μｍ以上であることにより、凸部の陰部分に起因するドメインの少なくとも一部は、略確実に、透過領域から反射領域に移ることになる。
【００２０】
請求項３の発明では、請求項１および２の発明において、反射用画素電極部が、ラビング方向に直交する方向に画素の全領域を横断するように形成されている場合に、凸部は、上記反射用画素電極部と同じ方向に上記画素の全領域を横断するように形成されているものとする。
【００２１】
上記の構成において、凸部は、反射用画素電極部と同じく、ラビング方向に直交する方向に延びて画素の全領域を横断しているので、パネル貼合せ段階において、反射用画素電極部に対する凸部の位置決めを行う際に、ラビング方向における位置決めの管理は必要であるが、上記横断方向における位置決めの管理は、不要である。
【００２２】
請求項４の発明では、請求項１〜３の発明において、凸部のラビング方向下流側端部に加え、ラビング方向に直交する方向における上記凸部の両側端部が、反射用画素電極部に対し互いに近接する方向に相対的にずれて配置されているものとする。
【００２３】
上記の構成において、反射用画素電極部に対し、ラビング方向に直交する方向における凸部の両側端部が、互いに近接する方向に相対的にずれていることにより、ラビングの不十分になりやすい凸部両側方の凸部近傍部分の少なくとも一部は、透過領域から反射領域に移ることになる。よって、その分だけ、凸部のラビング方向下流側近傍部分に次いでラビングの不十分になりやすい部分に起因する透過領域の表示品位の低下についても回避されるようになる。
【００２４】
請求項５の発明では、請求項１〜４の発明において、対向電極基板が、画素毎に設けられたカラーフィルタ層を有するものである場合に、そのカラーフィルタ層の反射領域部分における液晶層とは反対の側に、該カラーフィルタ層の反射領域部分を反射用画素電極部に向かって隆起させるように設けられた透明層が配置されているものとする。そして、凸部は、上記の透明層により形成されているものとする。
【００２５】
上記の構成において、凸部は、カラーフィルタ層の反射領域部分における液晶層とは反対の側に配置された透明層により形成されている。よって、カラーフィルタ層の層厚を大きくすることは不要であるので、カラーフィルタ層の層厚が大きくなることに起因する反射領域での光透過率の低下は回避される。
【００２６】
請求項６の発明では、請求項５の発明において、反射領域におけるカラーフィルタ層の一部分は、該反射領域におけるカラーフィルタ層の他の部分よりも光透過率の高い透過部とされているものとする。
【００２７】
上記の構成において、反射領域におけるカラーフィルタ層の一部分は、該反射領域におけるカラーフィルタ層の他の部分よりも光透過率の高い透過部であるので、カラーフィルタ層の機能を大きく損なうことなく、反射領域におけるカラーフィルタ層での光透過率が高くなる。
【００２８】
【発明の実施の形態】
以下、本発明の実施形態を、図面に基づいて説明する。
【００２９】
（実施形態１）
図１および図２は、本発明の実施形態１に係る透過反射両用型液晶表示装置の液晶パネルにおける要部の構成を模式的に示しており、この液晶表示装置は、透過表示モードと反射表示モードとを併用して表示するようにしたものである。尚、図１は、図２のＩ−Ｉ線断面を示しており、図２は、画素電極基板側から見た対向電極基板の平面を示している。
【００３０】
本液晶表示装置の液晶パネルは、画素毎に反射用画素電極部２１および透過用画素電極部２２を有する画素電極基板としてのＴＦＴ基板２０と、対向電極部１１を有していて、該対向電極部１１がＴＦＴ基板の反射用画素電極部２１および透過用画素電極部２２に対向するように配置された画素電極基板としてのカラーフィルタ基板１０（以下、ＣＦ基板という）とを備えている。対向電極部１１は、複数の画素に跨るように設けられており、反射用画素電極部２１は画素の略中央に、また透過用画素電極部２２は、反射用画素電極部２１を取り囲むように配置されている。これら両基板１０，２０間には、液晶層４０が配置されている。この液晶パネルは、電界により液晶分子４０ａの配列を変化させ、そのときの液晶層４０の複屈折性を利用して入射光の通過／遮断を制御するようにしたＥＣＢ（Ｅｌｅｃｔｒｉｃａｌｌｙ  Ｃｏｎｔｒｏｌｌｅｄ  Ｂｉｒｅｆｒｉｎｇｅｎｃｅ  ）モードのものである。
【００３１】
ＴＦＴ基板２０は、ガラスなどの絶縁性透明材からなる透明基板２３を有する。この透明基板２３上には、複数本の信号配線２４と複数本の走査配線２５とが互いに交差するマトリクス状に配置されている。信号配線２４と走査配線２５との各交点近傍には、ソース電極２６ａ，ドレイン電極２６ｂおよびゲート電極２６ｃを有するＴＦＴ２６（Ｔｈｉｎ  Ｆｉｌｍ  Ｔｒａｎｓｉｓｔｏｒ）が設けられている。ソース電極２６ａ，ドレイン電極２６ｂと、ゲート電極２６ｃとの間には、ゲート絶縁膜２６ｄが配置されている。そして、ソース電極２６ａには信号配線２４が、またゲート電極２６ｃには走査配線２５がそれぞれ接続されている。また、ＴＦＴ２６のドレイン電極２６ｂは、画素の略中央部まで延設されているとともに、保護層２７により覆われている。
【００３２】
信号配線２４、走査配線２５およびＴＦＴ２６上には、絶縁層２７が積層されており、反射用画素電極部２１および透過用画素電極部２２は、その絶縁層２７上に配置されている。反射用画素電極部２１の略中央に対応する絶縁層２７の部位には、該絶縁層２７を層厚方向に貫通するコンタクトホール２７ａが形成されており、反射用画素電極部２１は、このコンタクトホール２７ａを経由してＴＦＴ２６のドレイン電極２６ｂに接続されている。また、絶縁層２７の基板２３側には、画素電極部２１，２２との各間にそれぞれ信号蓄積用の付加容量Ｃｓを形成するための容量電極配線２９が走査配線２５に対し平行に延びるように配置されている。この容量電極配線２９上には、ＴＦＴ２６のゲート絶縁膜２６ｄが延設されている。
【００３３】
反射用画素電極部２１は、例えばアルミニウム（Ａｌ）など、光反射機能と電極機能とを具備する金属反射膜からなっており、この反射用画素電極部２１に対応する液晶層４０の領域は、反射表示モードに用いられる反射領域Ｒとされている。一方、透過用画素電極部２２は、例えばＩＴＯ（Ｉｎｄｉｕｍ  Ｔｉｎ  Ｏｘｉｄｅ）など、光透過機能と電極機能とを具備する透明導電膜からなっていて、その内側の端面において反射用画素電極部２１である金属反射膜の端面に接続している。この透過用画素電極部２２に対応する液晶層４０の領域は、透過表示モードに用いられる透過領域Ｔとされている。尚、本実施形態では、反射用画素電極部２１の金属反射膜と透過用画素電極部２２の透明導電膜とを端面同士が突き合わされた状態に接続するようにしているが、金属反射膜の端部と透明導電膜の端部とを重ね合わせて接続するようにしてもよい。さらには、透明導電膜を反射領域Ｒにも配置し、その透明導電膜の反射領域部分の上層に金属反射膜を配置して、それら透明導電膜の反射領域部分と金属反射膜とで反射用画素電極部２１を構成するようにしてもよいし、上記透明導電膜の反射領域部分の下層に、少なくとも光反射機能を具備する反射膜を配置して、それら透明導電膜の反射領域部分と反射膜とで反射用画素電極部２１を構成するようにしてもよい。
【００３４】
反射用画素電極部２１および透過用画素電極部２２上には、所定の方向にラビング処理してなる配向膜３０が設けられており、これにより、液晶層４０におけるＴＦＴ基板２０の界面近傍の液晶分子４０ａを該ＴＦＴ基板２０に対し平行にかつ所定の方向（図示せず）に配向させるようになっている。
【００３５】
一方、ＣＦ基板１０も、ガラスなどの絶縁性透明材からなる透明基板１２を有する。この透明基板１２の液晶層４０側には、カラーフィルタ層１３が画素毎に設けられている。その際に、反射用画素電極部２１の略中央に対応するカラーフィルタ層１３の部位には、該カラーフィルタ層１３を層厚方向に貫通する無着色部としての開口部１３ａが設けられている。対向電極部１１は、このカラーフィルタ層１３上に設けられている。この対向電極部１１も、透過用画素電極部２２の場合と同じくＩＴＯなどの透明導電膜からなっている。また、対向電極部１１上には、図１および図２にそれぞれ矢印で示す方向にラビング処理してなる配向膜１４が設けられており、これにより、液晶層４０におけるＣＦ基板１０との界面近傍の液晶分子４０ａを該ＣＦ基板１０に対し平行にかつ所定の方向に配向させるようになっている。
【００３６】
そして、本実施形態では、ＣＦ基板１０は、反射領域Ｒにおける液晶層４０の層厚Ｒｄが、透過領域Ｔにおける液晶層４０の層厚Ｔｄよりも小さく（Ｒｄ＜Ｔｄ）なるように設けられた凸部１５を有する。
【００３７】
具体的には、カラーフィルタ層１３の反射領域部分と、対向電極部１１の反射領域部分との間には、対向電極部１１の反射領域部分をＴＦＴ基板２０の反射用画素電極部２１に向かって隆起させるように透明層１６が設けられており、上記の凸部１５は、この透明層１６により形成されている。また、カラーフィルタ層１３の開口部１３ａには、透明層１６の一部が充填されている。このような透明層１６を形成する方法としては、例えば、ネガ型透明アクリル樹脂系感光材からなる膜を透明基板１２上に形成し、それを活性光により所定形状にパターン露光した後、アルカリ現像液での現像および水洗を行って未露光部分を除去し、しかる後、熱処理を行うことが挙げられる。尚、エッチングによるパターニングや、印刷，転写などによって設けることもできる。
【００３８】
その上で、本実施形態では、図１にも示すように、上記凸部１５のラビング方向下流側端部が、透過領域Ｔと反射領域Ｒとの境界に対しラビング方向上流側（同図の下側）にずれて配置されており、このことで、ラビングに対して凸部１５の陰になる部分であるラビング方向下流側における凸部１５の近傍部位を、反射領域Ｒ側に位置させるようになっている。
【００３９】
さらに、本実施形態では、上述した凸部１５のラビング方向下流側端部に加え、ラビング方向に直交する方向における凸部１５の両側端部が、反射用画素電極部２１に対し互いに近接する方向にずれて配置されており、このことで、ラビング処理が不十分になりやすい凸部１５両側方における該凸部１５の近傍部分を、反射領域Ｒ側に位置させるようになっている。尚、凸部１５のラビング方向上流側端部については、本実施形態では、従来の場合と同様に、反射用画素電極部２１の対応端部と同じラビング方向位置に配置されている。
【００４０】
具体的には、透明層１６の平面形状は、反射用画素電極部２１の平面形状よりも小さい矩形状に形成されており、このことで、凸部１５の各端部を反射領域Ｒ側にずらすようになされている。尚、凸部１５の各近傍部分のずれ量としては、それぞれ、少なくとも１μｍ以上、好適には２μｍ以上とされている。
【００４１】
したがって、本実施形態によれば、各画素が反射領域Ｒと透過領域Ｔとを有し、反射領域Ｒでの液晶層４０の層厚Ｒｄを透過領域Ｔでの液晶層４０の層厚Ｔｄよりも小さくするようにした透過・反射両用型の液晶表示装置において、液晶層４０の層厚Ｒｄ，Ｔｄを異ならせるためにＣＦ基板１０側に設けた凸部１５のラビング方向下流側端部を、ＴＦＴ基板２０側の反射用画素電極部２１に対してラビング方向上流側にずらして配置するようにしたので、凸部１５のラビング方向下流側近傍においてラビングに対し該凸部１５の陰になる部分により該部分に対応する液晶層４０の領域に発生するドメインを、そのようなドメインが確認されやすい透過領域Ｔから、確認されにくい反射領域Ｒに移すことができ、よって、透過領域Ｔの開口率を犠牲にすることなく、そのようなドメインにより表示品位が低下するのを回避することができる。
【００４２】
また、上記凸部１５のラビング方向下流側端部に加え、該ラビング方向に直交する方向における凸部１５の両側端部を、反射用画素電極部２１に対し互いに近接する方向にずらして配置するようにしたので、凸部１５の両側方近傍のラビングが不十分になりやすい部分により該部分に対応する液晶層４０の領域に発生するドメインについても、透過領域Ｔから反射領域Ｒに移すことができ、透過領域Ｔの開口率を犠牲にすることなく、そのようなドメインによる表示品位の低下をも回避することができる。
【００４３】
また、上記凸部１５を、透明基板１２とカラーフィルタ層１３との間に配置した透明層１６により形成するようにしたので、カラーフィルタ層１３の層厚を大きくせずに凸部１５を形成することができ、よって、カラーフィルタ層１３の層厚が大きくなることに起因する反射領域Ｒでの光透過率の低下を回避することができる。
【００４４】
さらに、反射領域Ｒにおけるカラーフィルタ層１３の一部に開口部１３ａを設け、この開口部１３ａに上記透明層１６の構成材料を充填するようにしたので、カラーフィルタ層１３の機能を大きく損なわずに、反射領域Ｒでの光透過率を高めることができる。
【００４５】
尚、上記の実施形態では、反射用画素電極部２１を、透過用画素電極部２２と同じ層厚方向位置に配置してＴＦＴ基板２０における液晶層４０側の表面をフラットに形成するようにしているが、本発明は、従来のように反射用画素電極部の部分を凸状に形成することを排除するものではない。但し、その場合には、ＴＦＴ基板でのラビングが不十分にならないように、凸部の大きさおよび形状を設計する必要がある。
【００４６】
また、上記の実施形態では、反射用画素電極部２１と透過用画素電極部２２とを電気的に互いに接続して透過モードおよび反射モードの両方を併用して表示するようにした場合について説明しているが、透過モードと反射モードとを切り換えて表示できるように、反射用画素電極部と透過用画素電極部とを接続せず、それら反射用画素電極部および透過用画素電極部に対し、信号配線からの信号を択一的に供給する構成とすることもできる。
【００４７】
さらに、上記の実施形態では、カラー表示用の液晶表示装置の場合について説明しているが、本発明は、白黒表示用の液晶表示装置に適用することもできる。
【００４８】
−実験例−
ここで、上記構成の液晶パネルにおいて、透明層１６の層厚Ｗｄ（凸部１５の高さ）と、ラビングに対する凸部１５の陰部分により生じるドメイン領域のラビング方向における寸法との関係を調べるために行った実験について説明する。
【００４９】
実験の要領としては、各々、反射領域Ｒおよび透過領域Ｔにおける各液晶層４０の層厚Ｒｄ，Ｔｄに応じて透明層１６の層厚が互いに異なる実験例１〜実験例３の３つの液晶パネルモデルを作成し、各実験例について、上記ドメイン領域のラビング方向寸法を計測した。
【００５０】
実験例１では、反射領域Ｒおよび透過領域Ｔにおける各液晶層４０の層厚Ｒｄ，Ｔｄを、それぞれ、Ｒｄ＝２．５μｍおよびＴｄ＝５．０μｍとし、したがって、透明層１６の層厚Ｗｄは、Ｗｄ＝２．５μｍとした。
【００５１】
実験例２では、反射領域Ｒおよび透過領域Ｔにおける各液晶層４０の層厚Ｒｄ，Ｔｄを、それぞれ、Ｒｄ＝３．０μｍおよびＴｄ＝４．０μｍとし、したがって、透明層１６の層厚Ｗｄは、Ｗｄ＝１．０μｍとした。
【００５２】
実験例３では、反射領域Ｒおよび透過領域Ｔにおける各液晶層４０の層厚Ｒｄ，Ｔｄを、それぞれ、Ｒｄ＝２．０μｍおよびＴｄ＝５．５μｍとし、したがって、透明層１６の層厚Ｗｄは、Ｗｄ＝３．５μｍとした。
【００５３】
以上の結果を、次表に併せて示す。
【００５４】
【表１】
2004157273.tif 000003
【００５５】
上記の表から判るように、実験例１，実験例２および実験例３におけるドメイン領域の各ラビング方向寸法は、それぞれ、２．０μｍ，１．０μｍおよび３．０μｍである。よって、凸部１５のずれ量Ｍとしては、１μｍ以上（Ｍ≧１μｍ）を必要とすることが判る。
【００５６】
尚、実験例１において、ドメイン領域を完全に反射領域Ｒに移すべく、凸部１５のラビング下流側端部を２μｍだけラビング上流側にずらすことに代えて、凸部１５の陰部分の面積に等しい面積の遮光膜を用いてドメイン領域を遮光するようにしたと仮定し、そのときの透過領域における遮光膜使用前の元々の開口率Ｐｂに対する遮光膜使用後の開口率Ｐａのロスの割合〔（Ｐｂ−Ｐａ）／Ｐｂ〕を試算したところ、遮光膜使用前の元々の開口率が略６０％である場合には、略１．５％であった。因みに、上記ドメイン領域による透過領域Ｔでの表示品位の低下を回避する上で、反射用画素電極部２１に対し、凸部１５のラビング方向下流側端部をラビング方向上流側にずらすという本発明の手段は、凸部１５の陰部分の面積は略一定であることから、透過領域Ｔの元々の開口率Ｐｂが低く設計されている場合ほど、大きな効果をもたらす。
【００５７】
（実施形態２）
図３は、本発明の実施形態２に係る液晶表示装置の液晶パネルにおけるＣＦ基板の要部平面を示している。尚、実施形態１の場合と同じ部分には、同じ符号を付して示している。
【００５８】
本実施形態では、凸部１５のラビング方向下流側端部のみをずらして配置しており、ラビング方向に直交する方向における凸部１５の両側端部については、ずらしてはおらず、従来の場合と同様に、反射用画素電極部２１の対応する両側端部に略重なる板面方向位置に配置されている。尚、その他の構成は実施形態１の場合と同じであるので、説明は省略する。
【００５９】
したがって、本実施形態によれば、凸部１５の両側方近傍のラビングが不十分になりやすい部分により該部分に対応する液晶層４０の領域に発生するドメインに起因する表示品位の低下を回避することができない他は、実施形態１の場合と同じ効果を奏することができる。
【００６０】
（実施形態３）
図４は、本発明の実施形態３に係る液晶表示装置の液晶パネルにおけるＣＦ基板１０の要部平面を示している。尚、実施形態１の場合と同じ部分には、同じ符号を付して示している。
【００６１】
本実施形態では、凸部１５のラビング方向下流側端部に加え、該凸部１５のラビング方向上流側の端部についても、反射用画素電極部２１に対し、ラビング方向上流側にずれて配置されており、そのずれ量は、ラビング方向下流側端部の場合と同じとされている。また、ラビング方向に直交する方向における凸部１５の両側端部については、実施形態２の場合と同じく、反射用画素電極部２１の対応する両側端部に略重なる板面方向位置に配置されている。
【００６２】
つまり、凸部１５を形成する透明層１６の平面形状およびその大きさは、反射用画素電極部２１と略同じであり、その凸部１５が全体的にずれて配置されていることになる。この場合、凸部１５のラビング方向上流側端部が透過領域Ｔに存在することになるために、透過領域Ｔの液晶層の層厚が変わって、多少、電気光学特性の異なる領域が発生するものの、視認性上は問題とはならない。よって、遮光膜によりその領域を遮光するという対策は不要であり、透過領域Ｔの開口率を犠牲にすることにはならない。尚、その他の構成は実施形態１の場合と同じであるので説明は省略する。
【００６３】
したがって、本実施形態によっても、実施形態２の場合と同様の効果を奏することができ、さらには、パネル設計段階での透明層１６の平面形状およびその大きさの設定，ならびにパネル貼合せ段階での両基板１０，２０の位置決めを容易化できるという効果を奏することができる。
【００６４】
尚、本実施形態の変形例として、図５のＣＦ基板１５上における要部平面図に示すように、ＴＦＴ基板２０の反射用画素電極部２１が、画素の全領域を走査配線２５に平行な方向に横断するように形成されている一方、ＣＦ基板１０の凸部１５、即ち、透明層１６が、画素の全領域を走査配線２５に平行な方向に横断するとともに、走査配線２５の延びる方向に並ぶ複数の画素に亘って連続するストライプ状に形成されている場合に、凸部１５の全体を、各画素の反射用画素電極部２１に対し、ラビング方向上流側にずらして配置するようにすることができ、これにより、ラビング方向に直交する方向における位置決めを容易化することができる。
【００６５】
【発明の効果】
以上説明したように、本発明によれば、各画素が反射領域と透過領域とを有していて、画素毎に設けられた凸部により反射領域での液晶層の層厚を透過領域での液晶層の層厚よりも小さくするようにした透過反射両用型の液晶表示装置において、対向電極基板側に設けた上記凸部のラビング方向下流側端部をラビング方向上流側にずらすことで、ラビングに対する凸部の陰部分により形成されるドメインを、透過領域よりもそのようなドメインの視認されにくい反射領域側に移すことができるので、遮光材料を用いて上記ドメイン領域を遮光する場合のように透過領域の開口率を犠牲にすることなく、透過領域の表示品位の低下を回避することができる。
【図面の簡単な説明】
【図１】図２のＩ−Ｉ線断面図である。
【図２】本発明の実施形態１に係る液晶表示装置の液晶パネルにおけるＣＦ基板を模式的に示す平面図である。
【図３】本発明の実施形態２に係る液晶表示装置の液晶パネルにおけるＣＦ基板を模式的に示す図２相当図である。
【図４】本発明の実施形態３に係る液晶表示装置の液晶パネルにおけるＣＦ基板を模式的に示す図２相当図である。
【図５】実施形態３の変形例に係る液晶表示装置の液晶パネルにおけるＣＦ基板を模式的に示す図２相当図である。
【図６】従来の液晶表示装置における液晶パネルの要部の構成を模式的に示す図１相当図である。
【符号の説明】
１０  ＣＦ基板（対向電極基板）
１１  対向電極部
１３  カラーフィルタ層
１３ａ  開口部（光透過率の高い透過部）
１５  凸部
１６  透明層
２０  ＴＦＴ基板（画素電極基板）
２１  反射用画素電極部
２２  透過用画素電極部
４０  液晶層
Ｒ  反射領域
Ｔ  透過領域
Ｒｄ  （反射領域における液晶層の）層厚
Ｔｄ  （透過領域における液晶層の）層厚
【図１】
2004157273.tif 000004
【図２】
2004157273.tif 000005
【図３】
2004157273.tif 000006
【図４】
2004157273.tif 000007
【図５】
2004157273.tif 000008
【図６】
2004157273.tif 000009